(57)【要約】【課題】照明器具の消費電力量およびランプの予測残存寿命を含む各種サービス情報の提供が行える家電機器用ネットワークシステムを提供する。【解決手段】家電機器用ネットワークシステム１は、照明器具３の操作履歴を照明器具３毎に記憶するとともに、この記憶された照明器具３の操作履歴を照明器具メーカ６のサーバ７に対して送信可能に構成されているホームサーバ４と、照明器具３の消費電力量およびランプの予測残存寿命を含む各種サービス情報を算出し、この各種サービス情報を前記ホームサーバ４に返信するように構成されているサーバ７とを具備している。【選択図】図１
2004127630.tif 000002
【特許請求の範囲】
【請求項１】
各部屋に設置され、ホームネットワークに接続されている照明器具と；
照明器具の操作履歴を照明器具毎に記憶するとともに、この記憶された照明器具の操作履歴を照明器具メーカまたは当該サービス会社のサーバに対して送信可能に構成されているホームサーバと；
ホームサーバに記憶された照明器具の操作履歴を含む各種情報を表示可能であり、コンピュータ通信網システムにより照明器具メーカまたは当該サービス会社のサーバに接続可能に構成されているウェブ端末と；
ウェブ端末を介してホームサーバから送信された照明器具の操作履歴に基づいて、当該照明器具の消費電力量およびランプの予測残存寿命を含む各種サービス情報を算出し、この各種サービス情報を前記ホームサーバに返信するように構成されている照明器具メーカまたは当該サービス会社のサーバと；
を具備していることを特徴とする家電機器用ネットワークシステム。
【請求項２】
前記ホームサーバは、記憶された照明器具の操作履歴を定期的に照明器具メーカまたは当該サービス会社のサーバに対して送信することを特徴とする請求項１記載の家電機器用ネットワークシステム。
【請求項３】
照明器具メーカまたは当該サービス会社のサーバは、前記ホームサーバから送信された照明器具の操作履歴を予め指定した住戸のホームサーバまたは携帯端末に転送することを特徴とする請求項１または２記載の家電機器用ネットワークシステム。
【発明の詳細な説明】
【０００１】
【発明の属する技術分野】本発明は、照明器具の各種サービス情報が得られる家電機器用ネットワークシステムに関する。
【０００２】
【従来の技術】近年、情報通信技術の急速な進展に伴い、家電機器のメーカやサービス会社などが家電機器に関して新たなサービスを提供できるようになっている。例えば、特開２００２−１１７１８３号公報（特許文献１）には、各家電機器のエネルギー削減のアドバイスを行う物資消費量関連サービス装置が開示されている。この物資消費量関連サービス装置５０は、図４に示すように、消費量提供者側端末５１からネットワーク５２を介して被測定対象（電気、ガス、水道等）の使用環境情報を受信し、物資の消費量の分析を行い、この分析の結果を、ネットワーク５２を介して消費量提供者側端末５１に配信するようにして構成されたものである。これにより、各家庭で各自が消費量の分析を行う必要が無くなり、被測定対象別に消費量削減に向けての対策を練ることができて消費量の削減が図れるというものである。
【０００３】
【特許文献１】特開２００２−１１７１８３号公報（第９〜１０頁、第７図）
【０００４】
【発明が解決しようとする課題】特許文献１は、各電気機器等のエネルギー節減のための分析や具体的な節減のためのアドバイスを行え、また、各家庭における割引などの省エネに関するインセンティブを充実化させて省エネの実行を促すものであり、各電気機器等の使用による消費物資の寿命または当該使用を第三者に通知することについては言及されていない。
【０００５】
消費量提供者（使用者）が照明器具のランプの予測残存寿命のサービス情報を受けて、残寿命時間を認識することができれば、ランプ交換に迅速に対応可能である。また、照明器具メーカは、照明器具のランプの予測残存寿命に基づいて、ランプ交換を促すことができ、営業の拡販が図れるという利点がある。
【０００６】
また、各家庭における各電気機器等の使用を第三者に通知することができれば、その家庭における生活状況が概略把握されるという利点がある。
【０００７】
本発明は、照明器具の消費電力量およびランプの予測残存寿命を含む各種サービス情報の提供が行える家電機器用ネットワークシステムを提供することを目的とする。
【０００８】
【課題を解決するための手段】請求項１に記載の家電機器用ネットワークシステムは、各部屋に設置され、ホームネットワークに接続されている照明器具と；照明器具の操作履歴を照明器具毎に記憶するとともに、この記憶された照明器具の操作履歴を照明器具メーカまたは当該サービス会社のサーバに対して送信可能に構成されているホームサーバと；ホームサーバに記憶された照明器具の操作履歴を含む各種情報を表示可能であり、コンピュータ通信網システムにより照明器具メーカまたは当該サービス会社のサーバに接続可能に構成されているウェブ端末と；ウェブ端末を介してホームサーバから送信された照明器具の操作履歴に基づいて、当該照明器具の消費電力量およびランプの予測残存寿命を含む各種サービス情報を算出し、この各種サービス情報を前記ホームサーバに返信するように構成されている照明器具メーカまたは当該サービス会社のサーバと；を具備していることを特徴とする。
【０００９】
本発明および以下の各発明において、特に言及しない限り、各構成は以下による。
【００１０】
照明器具の操作履歴とは、例えばランプのオンオフの記録を意味し、オンオフ操作の年月日および時刻がホームサーバに記憶される。オンオフの時刻により、ランプの累積点灯時間、月別、週別、日別などの点灯時間が算出可能である。そして、累積点灯時間により、ランプの残存寿命が予測可能である。
【００１１】
照明器具メーカとは、照明器具の製造または販売メーカを意味し、さらに照明器具に搭載されるランプの製造または販売メーカを意味する。また、サービス会社とは、当該照明器具メーカの代理店、代行店や販売店など、または照明器具メーカの本発明のサービスを代理、代行する会社を意味する。
【００１２】
コンピュータ通信網システムとは、インターネットの他、例えば電話回線を利用した専用のネットワークも包含される。
【００１３】
本発明によれば、ホームサーバに記憶された照明器具の操作履歴を照明器具メーカまたは当該サービス会社のサーバに送信することにより、各部屋に設置された照明器具毎の消費電力量およびランプの予測残存寿命が得られる。
【００１４】
請求項２に記載の家電機器用ネットワークシステムは、請求項１記載の家電機器用ネットワークシステムにおいて、前記ホームサーバは、記憶された照明器具の操作履歴を定期的に照明器具メーカまたは当該サービス会社のサーバに対して送信することを特徴とする。
【００１５】
本発明によれば、各部屋に設置された照明器具毎の消費電力量およびランプの予測残存寿命が定期的に把握される。
【００１６】
請求項３に記載の家電機器用ネットワークシステムは、請求項１または２記載の家電機器用ネットワークシステムにおいて、照明器具メーカまたは当該サービス会社のサーバは、前記ホームサーバから送信された照明器具の操作履歴を予め指定した住戸のホームサーバまたは携帯端末に転送することを特徴とする。
【００１７】
予め指定した住戸の代表例としては、遠隔地の家族および親戚の住宅であり、予め指定した携帯電話の代表例としては、同じく、家族および親戚の保有する携帯電話である。例えば一人暮らしの人、特に老人における照明器具の操作履歴が家族や親戚の人に対して通知されると、それにより生活状況が概略把握可能である。
【００１８】
本発明によれば、予め指定した住戸のホームサーバまたは携帯端末の転送先において照明器具の操作履歴が閲覧可能であり、その生活状況が把握される。
【００１９】
【発明の実施の形態】以下、本発明の一実施の形態について図面を参照して説明する。図１〜図３は、本発明の実施形態を示し、図１は家電機器用ネットワークシステムの全体構成を示すブロック図、図２はホームサーバにおける動作のフロー図、図３は照明器具メーカまたは当該サービス会社のサーバにおける動作のフロー図である。
【００２０】
図１において、家電機器用ネットワークシステム１は、住戸（住宅）２内の照明器具３、ホームサーバ４、ウェブ（Ｗｅｂ）端末５および照明器具メーカ６のサーバ７などを有して構成されている。
【００２１】
照明器具３は、住戸２内の各部屋８の天井面や壁面等に設置され、ホームネットワークによりホームサーバ４に接続されている。照明器具３には、図示しないランプが配設されており、ランプの定格寿命等が予め設定されている。
【００２２】
ホームサーバ４は、照明器具３の他、冷蔵庫９、テレビジョン（ＴＶ）１０、エアコンや換気扇等の空調機器１１およびその他の家電機器（湯沸器、炊飯器等）１２がホームネットワークにより接続されている。そして、ホームサーバ４は、図示しない記憶部を備え、この記憶部に照明器具３の操作履歴を照明器具３毎に記憶するように構成されている。操作履歴は、照明器具３などの家電機器への電源投入（オン）および電源遮断（オフ）の記録であり、電源がオンオフされる毎に電源投入または電源遮断の年月日および時刻（時、分、秒）が記憶されている。ここで、照明器具３への電源投入によりランプが点灯し、電源遮断によりランプが消灯するので、電源投入の時間がランプ点灯時間とされる。また、ホームサーバ４は、冷蔵庫９、テレビジョン（ＴＶ）１０、空調機器１１およびその他の家電機器１２の操作履歴も記憶部に記憶している。
【００２３】
そして、これら照明器具３、冷蔵庫９、テレビジョン（ＴＶ）１０、空調機器１１およびその他の家電機器１２に対する電源のオンオフは、ウェブ（Ｗｅｂ）端末５における電源オンオフ操作または屋外からの電話による電源オンオフ操作により行うことができるものである。すなわち、ホームサーバ４は、ウェブ（Ｗｅｂ）端末５からの制御信号に応じて、照明器具３、冷蔵庫９、テレビジョン（ＴＶ）１０、空調機器１１およびその他の家電機器１２の電源をオンオフさせるように構成されている。
【００２４】
そして、ホームサーバ４は、記憶部に記憶された照明器具３の操作履歴をウェブ（Ｗｅｂ）端末５での送信操作に応じて、または定期的に照明器具メーカ６のサーバ７に対して送信するように構成されている。
【００２５】
ウェブ（Ｗｅｂ）端末５は、ハブ（ＨＵＢ）１３を介してホームサーバ４に接続されている。ウェブ（Ｗｅｂ）端末５には、図示しない表示部および操作部が設けられており、操作部における所定のスイッチ操作によりホームサーバ４の記憶部に記憶された照明器具３の操作履歴または他の家電機器の操作履歴を表示して確認することができる。また、後述の照明器具メーカ６より返信されてきた消費電力量など、各種情報を表示可能としている。また、ウェブ（Ｗｅｂ）端末５は、ハブ（ＨＵＢ）１３からインターネットサービスプロバイダ（ＩＳＰ１）を介してコンピュータ通信網システムとしてのインターネット１４に接続され、照明器具メーカ６のサーバ７に接続されている。そして、操作部における所定のスイッチ操作または予め設定された日時に、ホームサーバ４に記憶されている照明器具３の操作履歴等を照明器具メーカ６のサーバ７に送信するように構成されている。照明器具３の操作履歴が送信されるとき、当該照明器具３のメーカ、型名やランプの型名なども付帯して送信される。
【００２６】
照明器具メーカ６のサーバ７は、ハブ（ＨＵＢ）１５からインターネットサービスプロバイダ（ＩＳＰ２）を介してインターネット１４に接続されている。サーバ７は、図示しない記憶部を備え、この記憶部に住戸２のホームサーバ４から送信された操作履歴等や算出した各種サービス情報などを記憶（蓄積）するようにしている。そして、サーバ７は、ホームサーバ４から送信された操作履歴等に基づいて、当該照明器具３の消費電力量およびランプの予測残存寿命を含む各種サービス情報を算出するとともに、この各種サービス情報をホームサーバ４に返信するように構成されている。ホームサーバ４に返信された各種サービス情報は、ホームサーバ４の記憶部に記憶され、ウェブ（Ｗｅｂ）端末５の表示部で閲覧される。
【００２７】
照明器具３の消費電力量は、例えば操作履歴の電源投入および電源遮断の時刻より電源投入期間を算出し、この電源投入期間に照明器具３の電力（定格電力）を乗じて算出される。ここで、照明器具３の電力は、住戸２の電源電圧に基づいて予め設定している。また、ランプの予測残存寿命は、電源投入期間を初期に遡って集計し、累積点灯時間を算出し、例えば定格寿命（時間）から累積点灯時間を減じて算出される。そして、累積点灯時間および光束の維持率を基に現在の光束（明るさ）の状態などの各種サービス情報が算出される。そして、照明器具３の消費電力量および予測残存寿命を含む各種サービス情報の算出は、各部屋８に設置されている照明器具３毎に行われる。
【００２８】
また、サーバ７は、ホームサーバ４から送信された操作履歴を予め指定した住戸１６のホームサーバ１７または予め指定した携帯端末としての携帯電話１８に転送するように構成されている。なお、この操作履歴の転送は、住戸２のホームサーバ４から送信された操作履歴を受信したとき、または各種サービス情報を算出したとき、あるいは予め指定した日時（定期的）など、適宜に設定される。
【００２９】
住戸１６のホームサーバ１７は、ハブ（ＨＵＢ）１９からインターネットサービスプロバイダ（ＩＳＰ３）を介してインターネット１４に接続されている。ホームサーバ１７は、図示しない記憶部を備え、この記憶部に照明器具メーカ６のサーバ７から送信（転送）された照明器具３の操作履歴が記憶され、ウェブ（Ｗｅｂ）端末２０の図示しない表示部で閲覧可能となっている。また、携帯電話１８の表示部（図示しない。）でも同様に、照明器具メーカ６のサーバ７から送信された照明器具３の操作履歴が閲覧可能となっている。
【００３０】
なお、照明器具メーカ６による上記各種サービス情報の提供は、上記各種サービス情報を代理、代行するサービス会社であってもよい。また、冷蔵庫９、テレビジョン（ＴＶ）１０、空調機器１１およびその他の家電機器１２に対しても、これらのメーカまたはサービス会社に操作履歴を送信して、各種サービス情報の提供を受けることが可能である。
【００３１】
次に、本発明の家電機器用ネットワークシステム１の動作をフロー図にしたがって説明する。
【００３２】
まず、住戸２のホームサーバ４の動作について説明する。図２は、ホームサーバ４における動作のフロー図である。
【００３３】
住戸２のホームサーバ４の記憶部において、各部屋８に設置された照明器具３毎の操作履歴の記憶が行われる。すなわち、操作履歴の収集が行われる（ステップＳ１）。
【００３４】
そして、操作履歴の送信の実行が判定される（ステップＳ２）。すなわち、操作履歴の送信が定期的に設定されているときは、その日時であるか否かの判定が行われる。そして、設定された日時で無いときは、ステップＳ１において引き続き操作履歴の収集が行われ、設定された日時であるときは、ステップＳ３の動作を実行する。なお、「定期的に」としては、例えば毎月の初日あるいは予め設定した日にち、毎週日曜日など、適宜設定すればよいものである。
【００３５】
また、操作履歴の送信が適宜に（任意に）行われるときは、ウェブ（Ｗｅｂ）端末５の操作部での送信操作の有無が判定される。そして、送信操作が行われていないときは、ステップＳ１において引き続き操作履歴の収集が行われ、送信操作が行われたときは、ステップＳ３の動作を実行する。
【００３６】
そして、住戸２のホームサーバ４から照明器具メーカ６に対して各照明器具３の操作履歴の送信が行われる（ステップＳ３）。その送信後は、ステップＳ１において、引き続き照明器具３の操作履歴の収集が行われる。
【００３７】
なお、ステップＳ１において、冷蔵庫９、テレビジョン（ＴＶ）１０、空調機器１１およびその他の家電機器１２に対しても、同様に操作履歴の収集（記憶）が行われる。
【００３８】
次に、照明器具メーカ６のサーバ７の動作について説明する。図３は、照明器具メーカ６のサーバ７における動作のフロー図である。
【００３９】
照明器具メーカ６のサーバ７は、当初、住戸２のホームサーバ４から照明器具３の操作履歴を受信するようにしている受信待ちの状態である（ステップＳ４）。
【００４０】
そして、照明器具３の操作履歴の受信の有無が判定される（ステップＳ５）。照明器具３の操作履歴が受信されていないときは、引き続き、受信待ち（ステップＳ４）の状態である。
【００４１】
サーバ７は、住戸２のホームサーバ４から新規の照明器具３の操作履歴を受信すると、住戸２別に、かつ各部屋８別に新規の操作履歴を過去の操作履歴に追加して記憶する（ステップＳ６）。
【００４２】
そして、サーバ７は、新規の照明器具３の操作履歴を予め指定する住戸１６または予め指定する携帯電話１８に転送する契約になっているか否かを判定する（ステップＳ７）。そして、転送する契約になっているときには、予め指定した住戸１６または予め指定した携帯電話１８に住戸２のホームサーバ４から送信された新規の照明器具３の操作履歴を転送する（ステップＳ８）。転送する契約になっていないとき、また、操作履歴の転送が実行されると、ステップＳ９が実行される。
【００４３】
住戸２のホームサーバ４から送信された新規の照明器具３の操作履歴が転送された住戸１６の住人または携帯電話１８の所持者は、住戸２の照明器具３の操作履歴を閲覧可能であり、住戸２の住人の生活状況が把握可能である。したがって、住戸２の住人が災害等に遭わずに通常の生活をしていることの確認をすることができる。特に、一人暮らしの人、特に老人が家族、親戚や知人等に対して通常通り生活していることの通知として活用することができる。
【００４４】
ステップＳ９では、照明器具３の操作履歴に基づいて、照明器具３毎の消費電力量およびランプの予測残存寿命を含む各種サービス情報の算出がなされる。そして、算出したランプの予測残存寿命に基づいてランプ寿命の判定が行われ（ステップＳ１０）、ランプが残存寿命を有しているときは、照明器具３毎の消費電力量およびランプの予測残存寿命を含む各種サービス情報を住戸２のホームサーバ４に返信する（ステップＳ１１）。
【００４５】
そして、ランプが残存寿命を有せず寿命であるときは、照明器具３毎の消費電力量および照明器具３のランプが寿命である旨を含む各種サービス情報を住戸２のホームサーバ４に返信し（ステップＳ１２）、ランプ交換のサービス契約の有無が判定される（ステップＳ１３）。ランプ交換のサービス契約がされていないときは、ステップ４にもどり、住戸２のホームサーバ４から照明器具３の操作履歴を受信するようにする。そして、ランプ交換のサービス契約がされているときは、照明器具３のランプの発注処理を行い（ステップＳ１４）、ステップ４にもどり、住戸２のホームサーバ４から照明器具３の操作履歴を受信するようにしている。
【００４６】
上述したように、住戸２の住人は、照明器具メーカ６から照明器具３毎の消費電力量およびランプの予測残存寿命を含む各種サービス情報が定期的にあるいは適宜に得られるので、照明器具３毎の消費電力量およびランプの予測残存寿命を把握することができ、ランプ交換に対して迅速に対応することができる。そして、定期的に上記各種情報を入手すると、照明器具３毎の消費電力量およびランプの予測残存寿命をより把握しやすい。
【００４７】
また、照明器具メーカ６との間でランプ交換のサービス契約を締結しておくと、照明器具３のランプが寿命と判定されたときに、サービスマンによるランプ交換またはランプの配達が受けられる。
【００４８】
なお、冷蔵庫９、テレビジョン（ＴＶ）１０、空調機器１１およびその他の家電機器１２に対しても、同様に、当該サービス会社から消費電力量などの各種サービス情報の提供が可能である。
【００４９】
【発明の効果】請求項１の発明によれば、ホームサーバは、各照明器具の操作履歴を照明器具メーカまたは当該サービス会社のサーバに対して送信可能に構成され、当該サーバは、各照明器具の操作履歴に基づいて、当該照明器具の消費電力量およびランプの予測残存寿命を含む各種サービス情報をホームサーバに返信するように構成されているので、ホームサーバに記憶された照明器具の操作履歴を前記サーバに送信することにより、各部屋に設置された照明器具毎の消費電力量およびランプの予測残存寿命を得ることができる。
【００５０】
請求項２の発明によれば、ホームサーバは、照明器具の操作履歴を定期的に照明器具メーカまたは当該サービス会社のサーバに対して送信するので、各部屋に設置された照明器具毎の消費電力量およびランプの予測残存寿命を定期的に把握することができる。
【００５１】
請求項３の発明によれば、照明器具メーカまたは当該サービス会社のサーバは、ホームサーバから送信された照明器具の操作履歴を予め指定した住戸のホームサーバまたは携帯端末に転送するので、この転送先において照明器具の操作履歴を閲覧することにより、その生活状況を把握することができる。
【図面の簡単な説明】
【図１】本発明の実施形態を示す家電機器用ネットワークシステムの全体構成を示すブロック図。
【図２】同じく、ホームサーバにおける動作のフロー図。
【図３】同じく、照明器具メーカまたは当該サービス会社のサーバにおける動作のフロー図。
【図４】特許文献１の物資消費量関連サービス装置の全体構成を示すブロック図。
【符号の説明】
１…家電機器用ネットワークシステム、３…照明器具、４…ホームサーバ、５…ウェブ端末、７…サーバ
【図１】
2004127630.tif 000003
【図２】
2004127630.tif 000004
【図３】
2004127630.tif 000005
【図４】
2004127630.tif 000006